【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
アノードと、
カソードと、
前記アノードと前記カソードとの間で電気的に接続されたドナー−アクセプタヘテロ接合を形成する第１の有機材料および第２の有機材料と、
を有する感光性装置であって、
前記第１および第２の有機材料が、当該感光性装置中に配置された際に、それぞれ０．５ｅＶ未満のフランク−コンドンシフトを有する、感光性装置。
【請求項２】
前記第１および第２の有機材料の双方が、当該感光性装置中に配置された際に、０．２ｅＶ未満のフランク−コンドンシフトを有する、請求項１に記載の感光性装置。
【請求項３】
当該感光性装置中に配置された際の前記第１および第２の有機材料の少なくとも一方のフランク−コンドンシフトが０．１ｅＶ未満である、請求項２に記載の感光性装置。
【請求項４】
前記第１および第２の有機材料の双方が、当該感光性装置中に配置された際に、０．１ｅＶ未満のフランク−コンドンシフトを有する、請求項３に記載の感光性装置。
【請求項５】
前記第１および第２の有機材料が、溶液の形態で測定された、それぞれ０．５ｅＶ未満のフランク−コンドンシフトを有する、請求項１〜４のいずれか一項に記載の感光性装置。
【請求項６】
前記第１および第２の有機材料の双方が、溶液の形態で測定された、０．２ｅＶ未満のフランク−コンドンシフトを有する、請求項５に記載の感光性装置。
【請求項７】
前記第１および第２の有機材料の双方が、溶液の形態で測定された、０．１ｅＶ未満のフランク−コンドンシフトを有する、請求項６に記載の感光性装置。
【請求項８】
前記第１および第２の有機材料の少なくとも一方が、当該感光性装置中でＪ−凝集体を形成する、請求項１〜７のいずれか一項に記載の感光性装置。
【請求項９】
前記第１および第２の有機材料の少なくとも一方が、分子の平面が平行となるように配向した少なくとも３つの分子のスタックとして当該感光性装置に配置され、当該スタックには崩壊、積層欠陥および転位がない、請求項１〜８のいずれか一項に記載の感光性装置。
【請求項１０】
前記第１および第２の有機材料の少なくとも一方が、単結合のペンダント側基を持たない分子からなる、請求項１〜９のいずれか一項に記載の感光性装置。
【請求項１１】
前記第１および第２の有機材料の少なくとも一方が、縮合環を有する平面状分子からなる、請求項１〜１０のいずれか一項に記載の感光性装置。
【請求項１２】
前記平面状分子の縮合環が、ベンゼン、ポルフィリン、フタロシアニン、およびポリアセンからなる群から選択される、請求項１１に記載の感光性装置。
【請求項１３】
前記ドナー−アクセプタヘテロ接合が第１の光電池を形成し、
当該装置が、それぞれの光電池がドナー−アクセプタヘテロ接合を含み、前記第１の光電池が当該スタック内に存在する二以上の光電池を含むスタックと、前記スタック中の２つの光電池間の導電性材料と、をさらに含み、
前記導電性材料が、前記スタックの外部への電気的接続を持たない電荷移動層として、前記スタックの外部への電気的接続を持たない再結合領域として、または前記スタックの外部への電気的接続を有する電極として配置される、請求項１〜１２のいずれか一項に記載の感光性装置。
【請求項１４】
前記ドナー−アクセプタヘテロ接合が、バルクヘテロ接合、混合ヘテロ接合または平面ヘテロ接合である請求項１〜１３のいずれか一項に記載の感光性装置。
【請求項１５】
第１の導電層を準備すること、
前記第１の導電層上に第１の有機材料および第２の有機材料を配置して、ドナー−アクセプタヘテロ接合を形成すること、および、
前記第１および第２の有機材料上に第２の導電層を形成すること、
を含み、前記第１および第２の有機材料が、ドナー−アクセプタヘテロ接合を形成するように配置された際、前記第２の導電層の形成後に測定された、それぞれ０．５ｅＶ未満のフランク−コンドンシフトを有する、方法。
【請求項１６】
前記ドナー−アクセプタヘテロ接合の前記第１および第２の有機材料の少なくとも一方が、前記第２の導電層の形成後に測定された、０．１ｅＶ未満のフランク−コンドンシフトを有する、請求項１５に記載の方法。
【請求項１７】
前記ドナー−アクセプタヘテロ接合の前記第１および第２の有機材料の双方が、前記第２の導電層の形成後に測定された、０．１ｅＶ未満のフランク−コンドンシフトを有する、請求項１６に記載の方法。
【請求項１８】
前記第１および第２の有機材料が、溶液の形態で測定された、それぞれ０．５ｅＶ未満のフランク−コンドンシフトを有する、請求項１５〜１７のいずれか一項に記載の方法。
【請求項１９】
前記第１および第２の有機材料の双方が、溶液の形態で測定された、０．２ｅＶ未満のフランク−コンドンシフトを有する、請求項１８に記載の方法。
【請求項２０】
前記第１および第２の有機材料の双方が、溶液の形態で測定された、０．１ｅＶ未満のフランク−コンドンシフトを有する、請求項１９に記載の方法。
【請求項２１】
前記第１および第２の有機材料の少なくとも一方を、Ｊ−凝集体として組織化することをさらに含む、請求項１５〜２０のいずれか一項に記載の方法。
【請求項２２】
前記第１および第２の有機材料の少なくとも一方を、少なくとも３つの分子のスタックとして組織化することをさらに含み、前記分子の平面が平行であり、当該スタックには崩壊、積層欠陥および転位がない、請求項１５〜２１のいずれか一項に記載の方法。
【請求項２３】
前記第１および第２の有機材料の少なくとも一方が、単結合のペンダント側基を持たない分子からなる、請求項１５〜２２のいずれか一項に記載の方法。
【請求項２４】
前記第１および第２の有機材料の少なくとも一方が、縮合環を有する平面状分子からなる、請求項１５〜２３のいずれか一項に記載の感光性装置。
【請求項２５】
ドナー−アクセプタヘテロ接合の形成は、前記第１および第２の有機材料を、バルクヘテロ接合、混合ヘテロ接合または平面ヘテロ接合として配置することを含む、請求項１５〜２４のいずれか一項に記載の感光性装置。
【請求項２６】
アノードと、
カソードと、
前記アノードと前記カソードとの間で電気的に接続されたドナー−アクセプタヘテロ接合を形成する第１の有機材料および第２の有機材料と、
を有する感光性装置であって、
前記第１および第２の有機材料が、溶液の形態で測定された、それぞれ０．５ｅＶ未満のフランク−コンドンシフトを有する、感光性装置。
【請求項２７】
前記第１および第２の有機材料の双方が、溶液の形態で測定された、０．２ｅＶ未満のフランク−コンドンシフトを有する、請求項２６に記載の感光性装置。
【請求項２８】
前記第１および第２の有機材料の双方が、溶液の形態で測定された、０．１ｅＶ未満のフランク−コンドンシフトを有する、請求項２７に記載の感光性装置。
【請求項２９】
溶液形態の前記第１の有機材料の分子の形状が、当該感光性装置に配置された際の前記第１の有機材料の分子の形状と実質的に同一である、請求項２６〜２８のいずれか一項に記載の感光性装置。
【請求項３０】
前記第１の有機材料が、分子の平面が平行となるように配向した少なくとも３つの分子のスタックを形成するように当該感光性装置に配置され、当該スタックには崩壊、積層欠陥および転位がない、請求項２９に記載の感光性装置。
【請求項３１】
溶液形態の前記第２の有機材料の分子の形状が、当該感光性装置に配置された際の前記第２の有機材料の分子の形状と実質的に同一である、請求項２９に記載の感光性装置。
【請求項３２】
前記第１および第２の有機材料の少なくとも一方が、当該感光性装置中にＪ−凝集体を形成する、請求項２６〜３１のいずれか一項に記載の感光性装置。
【請求項３３】
前記第１および第２の有機材料の少なくとも一方が、単結合のペンダント側基を持たない分子からなる、請求項２６〜３２のいずれか一項に記載の感光性装置。
【請求項３４】
第１の導電層を準備すること、
前記第１の導電層上に第１の有機材料および第２の有機材料を配置して、ドナー−アクセプタヘテロ接合を形成すること、および、
前記第１および第２の有機材料上に第２の導電層を形成すること、
を含み、前記第１および第２の有機材料が、ドナー−アクセプタヘテロ接合を形成するように配置された際、溶液の形態で測定された、それぞれ０．５ｅＶ未満のフランク−コンドンシフトを有する、方法。
【請求項３５】
前記第１および第２の有機材料の双方が、溶液の形態で測定された、０．２ｅＶ未満のフランク−コンドンシフトを有する、請求項３４に記載の方法。
【請求項３６】
前記第１および第２の有機材料の双方が、溶液の形態で測定された、０．１ｅＶ未満のフランク−コンドンシフトを有する、請求項３５に記載の方法。
【請求項３７】
前記第１および第２の有機材料の少なくとも一方の組織化が、Ｊ−凝集体を形成することをさらに含む、請求項３４〜３６のいずれか一項に記載の方法。
【請求項３８】
前記第１および第２の有機材料の少なくとも一方を、少なくとも３つの配向した分子のスタックとして組織化することをさらに含み、前記分子の平面が平行であり、当該スタックには崩壊、積層欠陥および転位がない、請求項３４〜３７のいずれか一項に記載の方法。
【請求項３９】
前記第１および第２の有機材料の少なくとも一方が、単結合のペンダント側基を持たない分子からなる、請求項３４〜３８のいずれか一項に記載の方法。
【請求項４０】
感光性装置の製造方法であって、
第１導電層を提供すること、
第１導電層上に第１有機材料および第２有機材料を配置し、ドナー−アクセプタヘテロ接合を形成すること、
第１および第２有機材料上に第２導電層を形成すること、
第１導電層、ドナー−アクセプタヘテロ接合、および第２導電層を感光性装置に組み込むこと、を含み
前記ドナー−アクセプタヘテロ接合中の第１および第２有機材料は、それぞれ、第２導電層の形成後に測定した、０．５ｅＶ未満のフランク−コンドンシフトを有する、感光性装置の製造方法。
【請求項４１】
前記ドナー−アクセプタヘテロ接合の第１および第２の有機材料の少なくとも一方が、第２導電層の形成後に測定した、０．２ｅＶ未満のフランク−コンドンシフトを有する、請求項４０に記載の方法。
【請求項４２】
前記ドナー−アクセプタヘテロ接合の第１および第２の有機材料の少なくとも一方が、第２導電層の形成後に測定した、０．１ｅＶ未満のフランク−コンドンシフトを有する、請求項４１に記載の方法。
【請求項４３】
前記ドナー−アクセプタヘテロ接合の第１および第２の有機材料の双方が、第２導電層の形成後に測定した、０．１ｅＶ未満のフランク−コンドンシフトを有する、請求項４２に記載の方法。
【請求項４４】
第１および第２有機材料のそれぞれが、溶液の形態で測定された、０．５ｅＶ未満のフランク−コンドンシフトを有する、請求項４０〜４３のいずれか一項に記載の方法。
【請求項４５】
第１および第２有機材料の双方が、溶液の形態で測定された、０．２ｅＶ未満のフランク−コンドンシフトを有する、請求項４４に記載の方法。
【請求項４６】
第１および第２有機材料の双方が、溶液の形態で測定された、０．１ｅＶ未満のフランク−コンドンシフトを有する、請求項４５に記載の方法。
【請求項４７】
前記第１および第２の有機材料の少なくとも一方の組織化が、Ｊ−凝集体を形成することをさらに含む、請求項４０〜４６のいずれか一項に記載の方法。
【請求項４８】
前記第１および第２有機材料の少なくとも一方を、少なくとも３つの配向した分子のスタックとして組織化することをさらに含み、前記分子の平面が平行であり、当該スタックには崩壊、積層欠陥および転位がない、請求項４０〜４７のいずれか一項に記載の方法。
【請求項４９】
前記第１および第２の有機材料の少なくとも一方が、単結合のペンダント側基を持たない分子からなる、請求項４０〜４８のいずれか一項に記載の方法。
【請求項５０】
前記第１および第２の有機材料の少なくとも一方が、縮合環を有する平面状分子からなる、請求項４０〜４９のいずれか一項に記載の方法。
【請求項５１】
前記ドナー−アクセプタヘテロ接合の形成は、前記第１および第２の有機材料を、バルクヘテロ接合、混合ヘテロ接合または平面ヘテロ接合として配置することを含む、請求項４０〜５０のいずれか一項に記載の方法。
【請求項５２】
前記ドナー−アクセプタヘテロ接合が、ハイブリッドヘテロ接合として、第１および第２有機材料を配置することを含む請求項４０〜５１のいずれか一項に記載の方法。
【請求項５３】
前記ドナー−アクセプタヘテロ接合が、ハイブリッドヘテロ接合として、第１および第２有機材料を配置することを含む請求項１〜１４のいずれか一項に記載の装置。
【請求項５４】
前記ドナー−アクセプタヘテロ接合が、ハイブリッドヘテロ接合として、第１および第２有機材料を配置することを含む請求項１５〜２５のいずれか一項に記載の方法。